(57)【特許請求の範囲】
【請求項１】
建物の外壁と屋根の軒先との間に沿って軒裏に取り付ける軒天材の取付構造であって、前記外壁に取り付けたサイディングの上端面に前記軒天材が直接載せられて固定され、
前記軒天材は、前記軒先側に取り付けたジョイナー部材の溝に係合して支持され、
前記ジョイナー部材は、前記軒先側に取り付けた鋼製破風と一体に形成されており、
前記軒天材の少なくとも一側部上には、前記外壁と前記軒先との間にわたるジョイント補強材が備えられ、このジョイント補強材を介して隣合う軒天材が接続されることを特徴とする軒天材の取付構造。
【請求項２】
前記軒天材は、前記サイディングの上端面に接着されていること、を特徴とする請求項１記載の軒天材の取付構造。
【発明の詳細な説明】
【０００１】
【発明の属する技術分野】
本発明は、サイディング付きの外壁に対する軒天材の取付構造に関するものである。
【０００２】
【背景の技術】
家屋の軒裏の仕上げとして軒天材を貼ることが行われ、例えば、フラットタイプの軒天材を貼る場合において、従来は、サイディングを貼る前の外壁と屋根の軒先との間に、先ず、野縁を縦横に組み付けておく。
そして、その縦横に組み付けた野縁に対し下方から軒天材を釘打ちして取り付けて行き、その後、外壁にサイディングを取り付けるようにしていた。
【０００３】
【発明が解決しようとする課題】
しかし、従来のように、外壁と軒先との間に野縁を縦横に組み付けることから、その縦横の野縁の組付作業に時間を要し、また、野縁の材料も多く必要となっており、コストもかかるものとなっていた。
そして、そのような縦横に組み付けた野縁に軒天材を取り付けた後に、外壁にサイディングを取り付けており、即ち、軒天材を施工してから外壁を仕上げするようになっており、逆に、軒天材を施工しないと、外壁の仕上げが行えないものとなっていた。
【０００４】
そこで、本発明の目的は、外壁の仕上げ後に野縁を一切用いることなく軒天材の取り付けが簡単に行えて、工期の大幅短縮に寄与すると共に、軒天材を取り付けるための材料の大幅削減を図って、コストを大幅に下げられるようにした軒天材の取付構造を提供することにある。
【０００５】
【課題を解決するための手段】
以上の課題を解決すべく請求項１記載の発明は、例えば、図１に示すように、建物の、例えば、壁パネル１等により構成される外壁と、例えば、屋根パネル５等により構成される屋根の軒先との間に沿って軒裏に取り付ける軒天材１１の取付構造であって、前記外壁に取り付けたサイディング３の上端面に前記軒天材１１を直接載せて固定した構成、を特徴としている。このように、外壁に取り付けたサイディング３の上端面に軒天材１１を直接載せて固定する取付構造なので、外壁の仕上げ後において、サイディング３の上端面に軒天材１１を直接載せることにより、軒天材１１の取り付けが簡単に行える。また、外壁側に野縁を一切用いないことから、軒天材１１を取り付けるための材料の大幅削減が図れる。従って、工期の大幅短縮に寄与できるようになると共に、コストも大幅に下げられるようになる。
【０００６】
また、例えば、図１に示すように、前記軒天材１１は、前記軒先側に取り付けたジョイナー部材１０の溝に係合して支持されている構成、を特徴としている。このように、軒先側に取り付けたジョイナー部材１０の溝に軒天材１１を係合して支持する取付構造なので、軒先側においても、ジョイナー部材１０の溝に係合して軒天材１１の取り付けが簡単に行える。そして、軒先側においても、野縁を一切用いず、かつ、釘打ちも必要ないことから、軒天材１１を取り付けるための材料の大幅削減が図れる。従って、軒天材１１の取付作業全体として、工期の大幅短縮に寄与できるようになると共に、コストも大幅に下げられるようになる。
【０００７】
さらに、例えば、図１に示すように、前記ジョイナー部材１０は、前記軒先側に取り付けた鋼製破風９と一体に形成されている構成、を特徴としている。このように、軒先側の鋼製破風９と一体に形成されたジョイナー部材１０の溝に軒天材１１を係合して支持する取付構造なので、軒先側においても、鋼製破風９（ジョイナー部材１０）の溝に係合して軒天材１１の取り付けが簡単に行える。そして、軒先側においても、野縁を一切用いず、かつ、釘打ちも必要ないと共に、鋼製破風９を利用して軒天材１１を支持することから、軒天材１１を取り付けるための材料の大幅削減が図れる。従って、軒天材１１の取付作業全体として、工期の大幅短縮に寄与できるようになると共に、コストも大幅に下げられるようになる。
【０００８】
また、例えば、図３に示すように、前記軒天材の少なくとも一側部上には、前記外壁と前記軒先との間にわたるジョイント補強材が備えられ、このジョイント補強材を介して隣合う軒天材が接続される構成、を特徴としている。このように、軒天材の側部上に備えたジョイント補強材を介して隣合う軒天材を接続する取付構造なので、従来の如く野縁を縦横に組み付ける必要が一切なくなり、軒天材を取り付けるための材料の大幅削減と作業時間の大幅短縮が図れる。従って、コストを大幅に下げられるようになる。
【０００９】
そして、請求項２記載の発明は、請求項１記載の軒天材１１の取付構造であって、例えば、図１に示すように、前記軒天材１１は、前記サイディング３の上端面に接着されている構成、を特徴としている。このように、サイディング３の上端面に軒天材１１を接着する取付構造なので、外壁の仕上げ後において、そのサイディング３の上端面に軒天材１１を接着することにより、軒天材１１の取り付けが簡単に行える。また、外壁側に野縁を一切用いず、かつ、釘打ちも必要ないことから、軒天材１１を取り付けるための材料の大幅削減が図れる。従って、工期の大幅短縮に寄与できるようになると共に、コストも大幅に下げられるようになる。
【００１０】
【発明の実施の形態】
以下に、本発明に係る軒天材の取付構造の実施の形態例を図１から図４に基づいて説明する。
先ず、図１は本発明に係る軒天材の取付構造を適用した一例としての軒裏構造を示す要部縦断側面図であり、１は壁パネル、２は胴縁、３はサイディング、４は結合桁、５は屋根パネル、６は結合桁、７は頭つなぎ、８は軒先唐草、９は鋼製破風、１０はジョイナー部材、１１は軒天材、１２はジョイント補強材である。
【００１１】
即ち、図示のように、壁パネル１等で構成される外壁には、胴縁２を介して既にサイディング３が取り付けられており、外壁（図示例では壁パネル１）の上端には結合桁４を介して屋根パネル５が結合されている。
この屋根パネル５の軒先端には、結合桁６を介して頭つなぎ７が結合されている。
この頭つなぎ７の外側面に軒先唐草８が取り付けられ、さらに、頭つなぎ７の下端に鋼製破風９が取り付けられている。
【００１２】
この鋼製破風９の頭つなぎ７の内側に位置する端部には、ジョイナー部材１０が一体に形成されている。
このジョイナー部材１０は、断面コ字状溝を有してその上辺部が前記結合桁６の下面に釘打ちにより固定されるものである。
このような軒先側の鋼製破風９に一体のジョイナー部材１０の断面コ字状溝と、前述した外壁側のサイディング３の上端面とは、同一の高さとなっている。
【００１３】
以上の外壁側のサイディング３の上端面に、軒天材１１の一端部側を載せてから、この軒天材１１の他端部側を、軒先側の鋼製破風９に一体のジョイナー部材１０の断面コ字状溝に挿入して係合すると共に、サイディング３の上端面に対し軒天材１１の前記一端部側の下面を図示しない適宜の接着剤により接着して固定する。
この軒天材１１は、例えば、サイディング３と同じ石綿スレート板により構成されていて、その少なくとも一側部の上面に、横に隣合う軒天材と接続するための角材によるジョイント補強材１２を接着および釘打ちして備えている。
即ち、このジョイント補強材１２の軒天材１１から横に突出した下面に、隣合う軒天材を当てて釘打ちして行くことにより接続する。
【００１４】
こうして軒裏に軒天材を取り付けた状態を図２に示しており、この図示例では、中間部の軒天材１１，１１，１１は換気用の小孔付きの有孔軒天材であり、出隅側に並ぶ２つの軒天材１３および軒天材１４は、無孔軒天材である。
即ち、中間部の軒天材１１は、図３（ａ）および（ｂ）に示すように、有孔の軒天材であって、その一側部（図示右側）の上面にジョイント補強材１２の半幅部分が接着および釘止めされている。
ここで、図２に示すように、出隅の一辺に沿った部分に配置される軒天材１３は、前記軒天材１１と同様に、サイディング３の上端面と鋼製破風９のジョイナー部材１０（断面コ字状溝）に取り付けられて、ジョイント補強材１２により接続される。
【００１５】
つまり、この出隅側の軒天材１３は、図４（ａ）および（ｂ）に示すように、無孔の軒天材であって、その左右両側部の上面にジョイント補強材１２，１２の半幅部分がそれぞれ接着および釘止めされている。
また、図２に示すように、出隅の角の先に配置されるコーナー用の軒天材１４については、コーナー外側辺部が鋼製破風９のジョイナー部材１０（断面コ字状溝）取り付けられて、コーナー内側辺部がジョイント補強材１２により接続される。
なお、図２において、サイディング３，３，３，３，を貼った外壁には窓１５が設けられている。
【００１６】
以上の通り、特に、本発明による軒天材の取付構造によれば、以下に列挙する効果が得られる。
（１）サイディング３の上端面に軒天材１１を接着固定して支持したため、外壁仕上げ後のサイディング３の上端面に軒天材１１を簡単に直接組み付けることができ、従って、工期を大幅に短縮できる。また、外壁側に野縁を一切用いないで、軒天材を取り付けるための材料を大幅に削減でき、従って、コストも大幅にダウンできる。
（２）鋼製破風９と一体形成したジョイナー部材１０の断面コ字状溝に軒天材１１を係合して支持したため、軒先側の鋼製破風９（ジョイナー部材）１０の断面コ字状溝に係合して軒天材１１を簡単に取り付けることができ、従って、軒天材の取付作業全体として、工期を大幅に短縮できる。また、軒先側にも野縁を一切用いず、釘打ちも必要なく、かつ、別部品としてのジョイナー部材１０を設ける必要もないので、軒天材を取り付けるための全体としての材料も大幅に削減でき、従って、軒天材の取付作業全体として、コストも大幅にダウンできる。
【００１７】
（３）軒天材１１の側部上に備えたジョイント補強材１２を介して隣合う軒天材を接続したため、従来の如く野縁を縦横に組み付ける必要が一切なく、軒天材を取り付けるための材料削減と作業時間短縮が図れ、従って、大幅にコストダウンできる。
（４）図２に示したように、サイディング３，３，３，３，…の縦方向の目地と、軒天材１１，１１，１１，１３，１４の目地とを合わせた良好な外観とすることもできる。
【００１８】
なお、以上の実施の形態例においては、フラットタイプの軒天材としたが、本発明はこれに限定されるものではなく、勾配を有する軒天材であってもよい。
また、実施の形態例では、パネル工法による建物の軒裏に適用したが、パネル工法のみに限らず、ツー・バイ・フォー工法や在来工法による建物の軒裏にも本発明は勿論適用できるものである。
さらに、本発明を適用する箇所としては、玄関庇や勝手口庇等であってもよく、その他、具体的な細部構造等についても適宜に変更可能であることは勿論である。
【００１９】
【発明の効果】
以上のように、請求項１記載の発明に係る軒天材の取付構造によれば、外壁のサイディングの上端面に軒天材を直接載せて固定するため、外壁の仕上げ後において、そのサイディングの上端面に軒天材を直接載せて簡単に取り付けることができ、また、外壁側に野縁を一切用いないで、軒天材を取り付けるための材料を大幅に削減することができる。従って、工期の大幅短縮に寄与することができると共に、コストも大幅に下げることができる。
【００２０】
また、軒先側に取り付けたジョイナー部材の溝に軒天材を係合して支持するため、請求項１または２記載の発明により得られる効果に加えて、軒先側においても、ジョイナー部材の溝に係合して軒天材を簡単に取り付けることができ、その上、野縁を一切用いず、かつ、釘打ちも必要ないので、軒天材を取り付けるための全体としての材料を大幅に削減することができる。従って、軒天材の取付作業全体として、工期の大幅短縮に寄与することができると共に、コストも大幅に下げることができる。
【００２１】
さらに、軒先側の鋼製破風と一体形成したジョイナー部材の溝に軒天材を係合して支持するため、請求項３記載の発明により得られる効果とほぼ同様に、軒先側においても、鋼製破風（ジョイナー部材）の溝に係合して軒天材を簡単に取り付けることができ、その上、野縁を一切用いず、かつ、釘打ちも必要ないと共に、鋼製破風を利用して軒天材を支持するので、軒天材を取り付けるための全体としての材料を大幅に削減することができる。従って、軒天材の取付作業全体として、工期の大幅短縮に寄与することができると共に、コストも大幅に下げることができる。
【００２２】
また、軒天材の側部上に備えたジョイント補強材を介して隣合う軒天材を接続するため、従来の如く野縁を縦横に組み付ける必要が一切なくなり、軒天材を取り付けるための材料の大幅削減と作業時間の大幅短縮を図って、コストを大幅に下げることができる。
【００２３】
そして、請求項２記載の発明に係る軒天材の取付構造によれば、サイディングの上端面に軒天材を接着するため、請求項１記載の発明により得られる効果とほぼ同様に、外壁の仕上げ後において、そのサイディングの上端面に軒天材を接着して簡単に取り付けることができ、また、外壁側に野縁を一切用いず、かつ、釘打ちも必要ないので、軒天材を取り付けるための材料を大幅に削減することができる。従って、工期の大幅短縮に寄与することができると共に、コストも大幅に下げることができる。
【図面の簡単な説明】
【図１】本発明に係る軒天材の取付構造を適用した一例としての軒裏構造を示す要部縦断側面図である。
【図２】図１に示した取付構造による軒天材の施工後を示す軒裏側の斜視図である。
【図３】図２における有孔軒天材を示したもので、（ａ）は底面図、（ｂ）は側面図である。
【図４】図２における無孔軒天材を示したもので、（ａ）は底面図、（ｂ）は側面図である。
【符号の説明】
３  サイディング
５  屋根パネル
９  鋼製破風
１０  ジョイナー部材
１１，１３，１４  軒天材
１２  ジョイント補強材
【図１】
0003701062.tif 000002
【図２】
0003701062.tif 000003
【図３】
0003701062.tif 000004
【図４】
0003701062.tif 000005